(57)【要約】      （修正有）【課題】ろうそく本体を収容して和ろうそくとして使用可能なろうそく収容体を提供する。【解決手段】一端部１５と他端部１３を有し、該一端部１５に向かって拡径して伸びる丸棒状の胴部９と、前記胴部９の一端部１５から、前記胴部９の外周面と段差を生ずることなく、環状に、前記胴部９の軸心方向に突出して、内側にろうそく本体３を収容する耐熱性の頭部１１と、を備えたろうそく収容体１。【選択図】図１
0003190387.tif 000002
【実用新案登録請求の範囲】
【請求項１】
一端部と他端部を有し、該一端部に向かって拡径して伸びる丸棒状の胴部と、
前記胴部の一端部から、前記胴部の外周面と段差を生ずることなく、前記胴部の軸心と同軸の環状に突出して、内側にろうそく本体を収容する耐熱性の頭部と、
を備えたろうそく収容体。
【請求項２】
前記胴部と前記頭部の表面は同色である請求項１に記載のろうそく収容体。
【請求項３】
前記胴部は木製であることを特徴とする請求項１または請求項２に記載のろうそく収容体。
【請求項４】
前記頭部は、前記胴部の一端部に取り付けられた円筒体である請求項１から請求項３のいずれかに記載のろうそく収容体。
【請求項５】
前記円筒体は、前記一端部に圧嵌されたことを特徴とする請求項４に記載のろうそく収容体。
【請求項６】
前記頭部は、その内側に、前記胴部の軸心方向に直交する円板状の底部を備えたことを特徴とする請求項１から請求項５のいずれかに記載のろうそく収容体。
【考案の詳細な説明】
【技術分野】
【０００１】
本考案はろうそく本体を収容するろうそく収容体に関する。
【背景技術】
【０００２】
特許文献１には、一端面に凹処が形成された太径の円柱状の木製基台と、この凹処に嵌入される不燃性材料から成るろうそく入れを備えたろうそく立てが記載されている。このろうそく立ては、ろうそく入れにろうそく本体を入れた状態で用いられる。このろうそく入れは不燃性材料から成るため、ろうそくの炎が木製基台に燃え移るような危険が生じない。
【０００３】
しかし、上記の木製基台は太径の円柱状であり、その外観から和ろうそくとして用いることができなかった。また、この木製基台を載置する燭台は限定されてしまい、例えば、法事等で用いられる鶴亀形状の燭台に載置することが困難であり、かつ、載置後の木製基台の安定性に欠ける恐れがあった。
【先行技術文献】
【特許文献】
【０００４】
【特許文献１】実用新案登録３０６５４７８号
【考案の概要】
【考案が解決しようとする課題】
【０００５】
本考案は、ろうそく本体を収容して和ろうそくとして使用可能なろうそく収容体を提供することを目的とする。
【課題を解決するための手段】
【０００６】
本考案のろうそく収容体は、一端部と他端部を有し、該一端部に向かって拡径して伸びる丸棒状の胴部と、前記胴部の一端部から、前記胴部の外周面と段差を生ずることなく、前記胴部の軸心と同軸の環状に突出して、内側にろうそく本体を収容する耐熱性の頭部と、を備えたことを特徴とする。
【０００７】
また、本考案のろうそく収容体は、前記胴部と前記頭部の表面は同色であることを特徴とする。
【０００８】
また、本考案のろうそく収容体は、前記胴部が木製であることを特徴とする。
【０００９】
また、本考案のろうそく収容体は、前記頭部が、前記胴部の一端部に取り付けられた筒体であることを特徴とする。
【００１０】
また、本考案のろうそく収容体は、前記筒体が、前記一端部に圧嵌されたことを特徴とする。
【００１１】
また、本考案のろうそく収容体は、前記頭部が、その内側に、該胴部の軸心方向に直交する円板状の底部を備えたことを特徴とする。
【考案の効果】
【００１２】
本考案のろうそく収容体は、胴部が一端部に向かって拡径する丸棒状であるため、頭部にろうそく本体を収容すると、その外観は和ろうそくとなり、法事等に用いることができる。
【図面の簡単な説明】
【００１３】
【図１】（ａ）実施例１のろうそく収容体の使用態様を示す図である。（ｂ）ろうそく収容体の正面図である。（ｃ）ろうそく収容体の平面図である。（ｄ）ろうそく収容体の底面図である。
【図２】実施例１のろうそく収容体の断面図である。
【図３】（ａ）実施例１の他の頭部を示す断面図である。（ｂ）実施例１のさらに他の頭部を示す断面図である。（ｃ）実施例１のさらに他の頭部を示す断面図である。
【図４】（ａ）実施例１の他のろうそく収容体の使用態様を示す図である。（ｂ）他のろうそく収容体の正面図である。（ｃ）他のろうそく収容体の平面図である。（ｄ）ろうそく収容体の底面図である。
【図５】（ａ）実施例１のさらに他のろうそく収容体の断面図である。（ｂ）実施例１のさらに他のろうそく収容体の断面図である。
【図６】（ａ）実施例２の頭部を示す断面図である。（ｂ）実施例２の他の頭部を示す断面図である。（ｃ）実施例２のさらに他の頭部を示す断面図である。
【図７】（ａ）実施例３の頭部を示す断面図である。（ｂ）実施例３の他の頭部を示す断面図である。
【考案を実施するための形態】
【００１４】
本考案のろうそく収容体を各図面に基づいて説明する。なお、各図にわたって示される同じ符号は同一または同様のものを示す。
【実施例１】
【００１５】
本考案のろうそく収容体1は、図１（ａ）に示すように、ろうそく本体3を収容するものである。ろうそく本体3は、代表的には、高さに対して径が大きい太径円柱状のものを用いることができる。金属板4により側周面と底面が覆われたろうそく本体3を用いることができる。このろうそく本体3に用いられる芯5は、特に限定されないが、和紙とい草から成り、太いものが好ましい。これにより、ろうそく本体3に生じる炎が大きくなる。また、ロウ7は、パラフィンから形成されたものが好ましい。これにより、ロウ7の消耗が軽減される。また、市販のろうそく本体3の芯を太径の芯5に交換して用いても良い。
【００１６】
ろうそく収容体1は、胴部9と頭部11を備えている。
【００１７】
胴部9は、その他端部13から一端部15に向かって拡径して伸びる丸棒状である。例えば図１（ｂ）に示すように、胴部9は、その他端部13から一端部15にかけて直線的に径が増大している。胴部9のサイズは特に限定されず、例えば長さが１２０ｍｍ〜３００ｍｍであり、他端部13の直径が２０ｍｍ〜３５ｍｍであり、一端部15の直径が４０ｍｍ〜５０ｍｍである。
【００１８】
この胴部9は、図２に示すように、丸棒体23と、被覆層25とを備えている。
【００１９】
この丸棒体23は、代表的には木製であり、その一端が平に形成されて成る一端面17と、その他端が平に形成されて成る他端面19を有する。一端面17は収容されるろうそく本体3の底面を支持する。他端面19は、例えば不図示の燭台に載置される。また、丸棒体23は、他端面19の中心部から胴部9の軸心方向に向かって形成され、燭台から突き出た支持針を挿入するための細孔21を有している。この丸棒体23は、鋸などの切断手段により所定の長さに切断された後、木工旋盤により他端14から一端16にかけて直線的に径が増大する形状に形成される。さらに、ドリルなどの穴開手段により丸棒体23の他端面19の中心部に細孔21が形成される。
【００２０】
被覆層25は、丸棒体23の表面に形成される。この被覆層25は、例えば、丸棒体23の表面に塗られた白色または赤色のパテである。また、このパテは、丸棒体23の表面に塗られ、パテの表面が白色または赤色に塗装されたものであっても良い。
【００２１】
頭部11は、図２に示すように、胴部9の一端部15から、胴部9の外周面27と段差を生ずることなく、胴部9の軸心と同軸の環状に突出し、その内側にろうそく本体3を収容する。この頭部11は、ろうそく本体3の炎やロウの熱による変形、発火が生じないように耐熱性を有している。
【００２２】
この頭部11は、図２に示すように、円筒体35と、被覆層36とを備えている。
【００２３】
円筒体35は、丸棒体23の一端16に取り付けられた金属製の円筒である。この円筒体35の外径は、丸棒体23の一端16における外径と略等しい。円筒体35の内径は、収容されるろうそく本体3の外径に応じて定められる。また円筒体35の筒長さは、収容するろうそく本体3の高さに応じて定められる。例えば、上述した太径円柱状のろうそく本体3を収容する場合には、円筒体35は、内径が３０ｍｍ〜５５ｍｍであり、筒長さが１５ｍｍ〜３０ｍｍである。円筒体35は、その一端が接着剤により丸棒体23の一端面17に固定される。ろうそく本体3は、開口部29から取り出し可能に収容される。
【００２４】
被覆層36は、円筒体35の外周面に形成され、その表面が胴部9の被覆層25の表面と同色である。この被覆層36は、例えば、円筒体35の外周面に形成されたパテであり、胴部9の被覆層25と段差が生じないように被覆層25と一体的に形成される。被覆層36は、パテの表面に胴部9の被覆部25と同色の塗料が塗装されたものであってもよい。
【００２５】
本考案のろうそく収容体1は次の効果を奏するものである。本考案のろうそく収容体1は、胴部9が一端部15に向かって拡径する丸棒状であるため、頭部11にろうそく本体3を収容すると、その外観は和ろうそくとなり、法事等に用いることができる。
【００２６】
また、従来、法事においては、一度使用された和ろうそくは、たとえ少量の使用であっても廃棄され、法事の度に新品の和ろうそくを準備する必要があった。しかし、本考案のろうそく収容体1は、取り出し可能にろうそく本体3が収容されるので、必要に応じてろうそく本体3を交換することができる。これにより、法事の度に、安価なろうそく本体3を新品に交換して使用することが可能であり、経済的である。
【００２７】
また、本実施例のろうそく収容体1は、胴部9が木製の丸棒体23を備えるため、軽量である。これにより、高所へのろうそく収容体1の設置が容易である。さらに、法事において、和ろうそくは鶴亀形状の燭台に取り付けて設置されることが多い。この際、和ろうそくが重いと、和ろうそくが取り付けられた燭台の重心が高くなって、燭台が不安定となり、燭台が転倒したり、和ろうそくが落下する等の危険性がある。しかし、本実施例のろうそく収容体1は軽量であるから、ろうそく収容体1が取り付けられた燭台の重心は高くならず、燭台は安定する。
【００２８】
本実施例のろうそく収容体1は、上記の態様に限定されない。例えば、図３（ａ）に示すように、円筒体35は丸棒体23の一端部37に圧嵌されたものであっても良い。すなわち、丸棒体23はその一端部37に段部39を有し、円筒体35の一端部41はこの段部39に圧嵌されたものであってもよい。段部39は、丸棒体23の外周面からその内側に向かって形成された環状の縁部43と、この縁部43の内側の端から丸棒体23の一端16に向かって延出する立ち上り部45とから構成されている。円筒体35は立ち上り部45に嵌め込まれている。このろうそく収容体1aは、円筒体35と丸棒体23とが強硬に連結されている。
【００２９】
また、この円筒体35は、その一端部41の内周面に雄ネジが形成され、立ち上り部45に螺合されても良い。
【００３０】
また、円筒体35は、図３（ｂ）に示すように、その一端部41が立ち上り部45に嵌め込まれ、その一端部41の外周面側から立ち上り部45の内側にかけて螺合されるネジ又は釘46により固定されても良い。
【００３１】
また、頭部11は、図３（ｃ）に示すように、丸棒体23の一端の周縁がその軸心方向に延出する外壁部47と、この外壁部47の内側に嵌め込まれる金属製の円筒体49とを備えても良い。この円筒体49の内径は、収容されるろうそく本体3の外形に応じて適宜定められる。これにより、ろうそく収容体1bは、収容されるろうそく本体3を安定して収容することが可能となる。さらに、円筒体49は、その開口端51に、筒軸方向に直交する面方向に広がる鍔部53を有しても良い。これにより、外壁部47をろうそく本体3の炎から保護することができる。
【００３２】
また、細孔21は、丸棒体23の他端面19から一端面17を貫通するものであっても良い。この細孔21に挿入可能かつ丸棒体23よりも長尺の押出し棒を用いれば、収容されているろうそく本体3を押し出すことができ、その交換が容易となる。
【００３３】
また、図４（ａ）（ｂ）に示すように、胴部9は、その中程55から一端部15にかけて曲線的に径が増大するものであっても良い。また、中程55から他端部13にかけて曲線的に径が増大するものであっても良い。すなわち、中程55がくびれた胴部9であっても良い。他には、中程55から他端部13にかけて一定の径であっても良い。
【００３４】
また、図５（ａ）に示すように、一端から他端にかけて一定の径である丸棒体23aと、この丸棒体23aの一端部に取り付けられた円筒体35と、丸棒体23aと円筒体35の外周面に形成された被覆層40aと、を備え、この被覆層40aは丸棒体23の他端から円筒体35の先端にかけて厚みが漸増して形成されたろうそく収容体2aであっても良い。
【００３５】
また、図５（ｂ）に示すように、一端から他端にかけて一定の径である丸棒体23aと、この丸棒体23aの一端部に取り付けられた円筒体35と、丸棒体23aと円筒体35の外周面に形成された被覆層40bと、を備え、この被覆層40bは丸棒体23の中程56から円筒体35の先端にかけて厚みが曲線的に増大して形成され、丸棒体23の中程56から丸棒体の他端部13にかけて厚みが曲線的に増大して形成されたろうそく収容体2bであっても良い。
【実施例２】
【００３６】
頭部は、図６に示すように、その内側に、該胴部9の軸心方向に直交する円板状の底部57を備えたものであっても良い。この底部57は、収容されたろうそく本体3の底面を支持するものである。また、底部57は、代表的には金属製であり、ろうそく本体3の炎の熱よる変形、炎により燃えない耐熱性を有している。これにより、ろうそく本体3の炎から胴部を保護することができる。
【００３７】
図６（ａ）に示す頭部59は、筒状部61と、底部57とを備えている。この筒状部61は、丸棒体23の一端面63からその軸心方向に環状に突出している。底部57は、筒状部61の内側に形成され、丸棒体23の一端面63に重畳して配置されている。そして、底部57は接着剤により丸棒体23の一端面63に接着されている。底部57は、底部57を貫通して丸棒体23の軸心方向に螺合されたネジ又は釘により丸棒体23と連結されても良い。
【００３８】
また、図６（ｂ）に示す頭部65は、一端部67が丸棒体23の一端部37に嵌入された筒状部69と、筒状部69の内側に形成され、丸棒体23の一端面63に重畳して配置される底部57とを備えている。この頭部65は、上記の様に底部57が接着剤により丸棒体23の一端面63に接着されている。頭部65の取付態様は接着材によるものに限定されない。例えば、筒状部69の一端部67が丸棒体23の一端部37に圧入されることによって、頭部65が丸棒体23に取り付けられても良い。また、筒状部69は、その一端部67の内周面に雄ネジが形成されたものであり、丸棒体23の一端部37に螺合されたものであっても良い。
【００３９】
また、図６（ｃ）に示す頭部71は、丸棒体23の一端面63からその軸心方向に環状に突出する筒状部61と、筒状部61の内側に形成され、丸棒体23の一端面63に重畳して配置される底部57と、底部57の中心部から丸棒体23に向かって延出する突起部73とを備えている。そして、丸棒体23は、その一端面63の中心部に形成され、突起部73が挿入される凹部77を有する。この頭部71は、突起部73が凹部77に挿入されて、底部57が接着剤により丸棒体23の一端面63に接着されている。なお、頭部71の取付態様は接着剤によるものに限定されない。たとえば、突起部73が凹部77に圧入されることによって、頭部71が丸棒体23に取り付けられても良い。また、突起部73は、その外周面に雄ネジが形成されたものであり、この突起部73が丸棒体23の凹部77に螺合されたものであっても良い。
【実施例３】
【００４０】
本考案の丸棒体23は、図７（ａ）に示すように、その一端面63に、その軸心と同軸に形成された円状の凹部79を備えても良い。凹部79の径と深さは、収容するろうそく本体3の外径と高さに応じて適宜定められる。また、この凹部79は、径の異なる同心円状に多段に形成されても良い。この各段の径と深さは、収容する複数のろうそく本体3の外径と高さに応じて適宜定められる。本実施例のろうそく収容体81は、サイズの異なるろうそく本体3を収容することができる。さらに各ろうそく本体3の径と深さに応じて凹部79の径と深さが定められているので、サイズの異なるろうそく本体3の保持に優れている。
【００４１】
また、本実施例のろうそく収容体83は、頭部85の底部87が、図７（ｂ）に示すように、丸棒体23の凹部79に嵌合し、丸棒体23の軸心と同軸に形成された円状の凹部89を有しても良い。この底部87に形成された凹部89は、径の異なる同心円状に多段に形成されたものであっても良い。本実施例のろうそく収容体83は、頭部85の底部87に形成された凹部89が、径の異なるろうそく本体3を収容することができる。
【００４２】
以上、本考案のろうそく収容体について説明したが、本考案はその趣旨を逸脱しない範囲で、当業者の知識に基づき種々の改良、修正、変形を加えた態様で実施し得るものであり、これらの態様はいずれも本考案の範囲に属するものである。
【００４３】
例えば、本考案のろうそく収容体の胴部と頭部は、焼き物から成るものであっても良い。
【００４４】
また、本考案のろうそく収容体の胴部と頭部は、耐熱樹脂から成るものであっても良い。
【００４５】
また、ろうそく本体の炎の熱による頭部の膨張に伴う被覆層の破壊を防ぐため、耐熱性の頭部として、例えばセラミック等の熱膨張係数の小さい材料が好ましい。また、頭部と胴部の材質の熱膨張係数が近似したものであっても良い。
【００４６】
また、ろうそく本体の炎によって、長時間、胴部が加熱されて火災にならないようにするために、耐熱性の頭部として、熱容量の大きい材質が好ましい。
【符号の説明】
【００４７】
1…ろうそく収容体
3…ろうそく本体
9…胴部
11…頭部
13…胴部の他端部
15…胴部の一端部
23…丸棒体
35…円筒体
57…底部
【図１】
0003190387.tif 000003
【図２】
0003190387.tif 000004
【図３】
0003190387.tif 000005
【図４】
0003190387.tif 000006
【図５】
0003190387.tif 000007
【図６】
0003190387.tif 000008
【図７】
0003190387.tif 000009